【手続補正書】
【提出日】平成17年9月2日(2005.9.2)
【手続補正１】
【補正対象書類名】明細書
【補正対象項目名】特許請求の範囲
【補正方法】変更
【補正の内容】
【特許請求の範囲】
【請求項１】  粒子の凝集体として構築され、音エネルギー吸収体としての使用に適した多泡凝集体であって、当該粒子の凝集体の構造は、音が通過できるように粒子間に空間が存在し、粒子間にはガスが充填されることを特徴とする多泡凝集体。
【請求項２】  粒子が、数ミリメートルの領域のサイズを有することを特徴とする、請求項１に記載の多泡凝集体。
【請求項３】  請求項１の多泡凝集体であり、当該多泡凝集体中における粒子直径が０．５−２０ｍｍであることを特徴とする多泡凝集体。
【請求項４】  請求項１〜３のいずれかに記載の多泡凝集体であり、当該多泡凝集体中における粒子形状が球形及び円筒形であり、サイズの大きな粒子又はモノリスを粉砕してできる粒子のように不規則形状であることを特徴とする多泡凝集体。
【請求項５】  請求項１〜４のいずれかに記載の多泡凝集体であり、当該粒子の表面が粗い形状であることを特徴とする多泡凝集体。
【請求項６】  請求項１〜５のいずれかに記載の多泡凝集体であり、当該構造が接着剤で粒子同士を弱く結合して安定化したことを特徴とする多泡凝集体。
【請求項７】  音響エネルギー吸収体として使用するに適した成層構造であり、当該成層構造は種々の音響反射等級及び音響吸収特性を有する多層材料で構成され、又は吸収構造物の厚み全体を通して連続的に変化し、且つ音源から音の主進行方向に連続的に増加する材料で構成されることを特徴とする成層構造。
【請求項８】  請求項７に記載の成層構造であり、当該成層構造が一方の側から他方の側に向けて連続的に或いは段階的又は層状に勾配を有する構造体として形成され、音響変換器から音エネルギーが入射される入力側において当該材料ができるだけ低い反射係数Ｒ、および、できるだけ大きな吸収係数Ａが与えられ、音響変換器から最も遠い吸収体側である出力側において当該材料が、適切な程度に低い反射係数に合致したできるだけ大きな吸収係数Ａを与えられることを特徴とする成層構造。
【請求項９】  請求項７または８に記載の成層構造であり、対象周波数範囲内で事実上音響的に透明な支持基体上に順次材料層を重ねたことを特徴とする成層構造。
【請求項１０】  請求項９に記載の成層構造であり、対象周波数範囲が、２０Ｈｚ〜２０ＫＨｚの範囲であることを特徴とする成層構造。
【請求項１１】  請求項７〜１０に記載の成層構造であり、入力側のインターフェースの層が多泡凝集体であることを特徴とする成層構造。
【請求項１２】  請求項１１に記載の成層構造であり、すべての層が多泡凝集体であることを特徴とする成層構造。
【請求項１３】  請求項１１に記載の成層構造であり、多泡凝集体以外の材料が、音源から離れた側で一つ又は二つ以上の付加層を形成することを特徴とする成層構造。  
【請求項１４】  請求項７〜１３のいずれかに記載の成層構造であり、空気のものと異なる音響特性を有するガスを前充填したことを特徴とする成層構造。
【請求項１５】  請求項７〜１４のいずれかに記載の成層構造であり、層が、請求項１〜６のいずれかに記載の多泡凝集体であることを特徴とする成層構造。
【請求項１６】  請求項７〜１５のいずれかに記載の成層構造であり、２０Ｈｚ〜２０ＫＨｚの帯域中で０．２よりも小さな反射係数をもつ多泡凝集体の層を有することを特徴とする成層構造。
【請求項１７】   請求項７〜１５のいずれかに記載の成層構造であり、２０Ｈｚ〜４００Ｈｚの帯域中で０．２よりも小さな反射係数をもつ多泡凝集体の層を有することを特徴とする成層構造。
【請求項１８】  請求項７〜１５のいずれかに記載の成層構造であり、３０Ｈｚの音響周波数で０．２よりも小さな反射係数をもつ多泡凝集体の層を有することを特徴とする成層構造。
【請求項１９】  少なくとも１つの多泡凝集体の層を有する音響エネルギー吸収体であり、吸収体が、入力側インターフェースにおいて、対象周波数範囲で０．２より小さな音響反射係数を有することを特徴とする音響エネルギー吸収体。
【請求項２０】  請求項１９に記載の音響エネルギー吸収体であり、反射係数が、２０Ｈｚ〜２０ＫＨｚ帯域で０．２よりも小さいことを特徴とする音響エネルギー吸収体。
【請求項２１】  請求項１９に記載の音響エネルギー吸収体であり、反射係数が、２０Ｈｚ〜４００Ｈｚ帯域で０．２よりも小さいことを特徴とする音響エネルギー吸収体。
【請求項２２】  請求項１９に記載の音響エネルギー吸収体であり、反射係数が、３０Ｈｚの音声周波数で０．２よりも小さいことを特徴とする音響エネルギー吸収体。
【請求項２３】  請求項１９〜２２のいずれかに記載の音響エネルギー吸収体であり、入力側インターフェースで、請求項１〜６のいずれかに記載の多泡凝集体の層を有することを特徴とする音響エネルギー吸収体。
【請求項２４】  請求項２３に記載の音響エネルギー吸収体であり、音源から離れた位置にある少なくとも１つの第２の層を有し、且つ、入力側インターフェースの多泡凝集体の層よりも高い音響吸収係数を有することを特徴とする音響エネルギー吸収体。
【請求項２５】  請求項２４に記載の音響エネルギー吸収体であり、少なくとも１つの第２の層が、多泡凝集体で作られていることを特徴とする音響エネルギー吸収体。
【請求項２６】  請求項２５に記載の音響エネルギー吸収体であり、少なくとも１つの第２の層が、非多泡凝集体で作られていることを特徴とする音響エネルギー吸収体。
【請求項２７】  請求項１８〜２６のいずれかに記載の音響エネルギー吸収体であり、実質的に音響的に透明な支持基体を有することを特徴とする音響エネルギー吸収体。
【請求項２８】  密接に結合された音響吸収体と裏面で抵抗的に仕切られた電気機械的音響変換器であり、当該音響吸収体は低周波数において音響吸収効果が良好な多泡凝集体で作られ、当該変換器の後部と多泡凝集体との間にはガスが充填される間隙があることを特徴とする電気機械的音響変換器。
【請求項２９】  請求項２８に記載の音響変換器であり、当該変換器は、多泡凝集体音響吸収体で閉じられる裏面に開きを有する適切な形状の箱の前面において当該前面を横切って配置されることを特徴とする音響変換器。
【請求項３０】  請求項２８または２９に記載の音響変換器であり、当該多泡凝集体がシリカ、ポリウレタン又はゴムで作られることを特徴とする音響変換器。
【請求項３１】  請求項２８〜３０のいずれかに記載の音響変換器であり、当該多泡凝集体中の孔のサイズが数ナノメー程度に小さく、当該多泡凝集体中の内表面積が、材料１ｇ当たり１，０００ｍ２程度に大きいことを特徴とする音響変換器。
【請求項３２】  請求項２８〜３１のいずれかに記載の音響変換器であり、多泡凝集体周辺にはカップリング用及び充填用のガス又はガス混合物が使用され、当該ガス又はガス混合物は外部のガスは浸透させず且つ音響的に透明な膜によりトラップされ、当該ガス（単数又は複数）は吸収体音響抵抗と変換器放射抵抗の適合状態を最適化するように、又は当該変換器の裏面からの音の吸収を最適化するように、或いはこれら両者を最適化するように選択されることを特徴とする音響変換器。
【請求項３３】  請求項２８〜３２のいずれかに記載の音響変換器であり、音響吸収体が、請求項１〜６のいずれかに記載の多泡凝集体、請求項７〜１８のいずれかに記載の成層構造、または、請求項１９〜２７のいずれかに記載の吸収体であることを特徴とする音響変換器。